(57)【特許請求の範囲】
【請求項１】
芳香剤を収納し、開口部をシート蓋（５）で塞いだ収納容器体（１）と、該収納容器体（１）を装着筒（１０）内に挿入組付けするケース体（９）とから構成され、前記シート蓋（５）を、気化した芳香剤の透過および液状の芳香剤の浸漬が可能な柔軟性に富んだ透過シート（６）の下に、伸び変形不能で破断し易いバリヤー性に富んだシール膜（７）を積層して構成し、前記装着筒（１０）に隔壁（１２）を設け、前記装着筒（１０）に装着された収納容器体（１）のシート蓋（５）に押込み状に突き当たって、該シート蓋（５）のシール膜（７）を破断して破断孔（８）を開設する突子（１３）を隔壁（１２）に設けたことを特徴とする芳香剤容器。
【請求項２】
突子（１３）を、横長な板片状に構成した請求項１に記載の芳香剤容器。
【請求項３】
有頂筒状の外筒壁（１４）の中央に、リブ板壁（１６）を介して装着筒（１０）を一体設し、前記外筒壁（１４）および該外筒壁（１４）の上端に連設された頂壁（１５）さらに隔壁（１２）に芳香剤の放散孔（１７）を開設してケース体（９）を構成した請求項１または２に記載の芳香剤容器。
【請求項４】
収納容器体（１）を、合成樹脂製ブロー成形ボトルとし、該ボトルの開口筒部（２）に、中央を開口部としたリング状のキャップ体（４）を密に組付けし、該キャップ体（４）上に開口部を塞ぐシート蓋（５）を密に溶着した請求項１〜３のいずれか１項に記載の芳香剤容器。
【発明の詳細な説明】
【技術分野】
【０００１】
本発明は、液状、ゲル状、固体状、粉体状等の芳香剤を収納した収納容器体と、この収納容器を、収納した芳香剤を放散可能な状態で安定して保持するケース体とから成る芳香剤容器に関するものである。
【背景技術】
【０００２】
従来、消臭剤を含めた液状の芳香剤を放散する芳香剤容器としては、液状の芳香剤を密に収納保持する収納容器体と、この収納容器体を一定姿勢で組付け保持すると共に、芳香剤を適正に放散できる状態に維持するケース体とから構成されたものが多用されている。例えば、特許文献１に記載された芳香剤容器は、収納容器体に、気化した芳香剤を通過放散させるための放散孔を開設しオーバーキャップと、収納容器体を安定して起立姿勢に保持する台座とからなるケース体を組付けて構成し、収納容器体が使用済みとなったならば、取外したケース体を、新たな収納容器体に組み替えして芳香剤容器を構成することができる。
【先行技術文献】
【特許文献】
【０００３】
【特許文献１】特開２００３−２０５９８６号公報
【発明の概要】
【発明が解決しようとする課題】
【０００４】
しかしながら、上記した従来技術にあっては、新たな収納容器体をケース体に組付けようとするたびに、収納容器体を密閉している密封シールを剥がして、収納容器体を開封状態としなければならず、このため面倒な密封シールの剥ぎ取り操作を必要とすると共に、密封シールを適正にかつ簡単に剥ぎ取ることができる構成とすることが要求され、さらに剥ぎ取った密封シールがゴミとなって手元に残ってしまう、と云う問題があった。
【０００５】
そこで、本発明は、上記した従来技術における問題点を解消すべく創案されたもので、収納容器体のケース体への装着により、収納容器体の密封を解除して芳香剤の放散を可能とすることを技術的課題とし、もって密閉強度の高い収納容器体を、シール機能部分をゴミにすることなく、簡単に開封することを目的とする。
【課題を解決するための手段】
【０００６】
上記技術的課題を解決するための本発明の主たる構成は、
芳香剤を収納し、開口部をシート蓋で塞いだ収納容器体と、この収納容器体を装着筒内に挿入組付けするケース体とから構成されること、
収納容器体のシート蓋を、気化した芳香剤の透過および液状の芳香剤の浸漬が可能な柔軟性に富んだ透過シートの下に、伸び変形不能で破断し易いバリヤー性に富んだシール膜を積層して構成すること、
ケース体の装着筒に隔壁を設けること、
ケース体の装着筒に装着された収納容器体のシート蓋に押込み状に突き当たって、このシート蓋のシール膜を破断して破断孔を開設する突子を隔壁に設けること、にある。
【０００７】
開口部をシート蓋で密閉した収納容器体の、ケース体の装着筒に対する挿入組付けは、収納容器体を装着筒内に強引に押し込む打栓組付け状に達成されるので、この挿入組付け時の衝撃力が、収納容器体のシート蓋に押込み状に突き当たるケース体の突子に伝わる。この突子に伝わった衝撃力は、そのままシート蓋に作用するが、シート蓋の透過シートは柔軟性に富んでいるので、この衝撃力により破断することなく柔軟に撓み変形するのに対して、シート蓋のシール膜は伸び変形不能で破断し易いので、容易に破断して破断孔を開設する。
【０００８】
この際、突子は装着筒の隔壁に一体設されたものであるので、構造的に安定しており、シート蓋に押込み状に突き当った際に、確実にかつ強力に衝撃力をシート蓋に作用させ、シート蓋のシール膜に破断孔を確実に開口する。破断孔が開設されると、透過シートが破断孔から収納容器体内に露出される状態となるので、収納容器体内の気化した芳香剤がこの破断孔から透過シートを透過して放散されるか、または収納容器体内の液状の芳香剤が透過シートに浸漬して、破断孔から露出している透過シート部分から気化して放散される。破断孔は透過シートを破断して形成されるものであるので、シート蓋の一部が分離してゴミとなることがない。
【０００９】
本発明の別の構成は、上記した主たる構成において、突子を、横長な板片状に構成した、ものである。
【００１０】
突子を、横長な板片状に構成したものにあっては、開設される破断孔が、小さな円孔状に限定されることなく、細長な孔状として開口面積を所望する程度に大きくすることができるので、所望する大きさの破断孔を形成することが可能となる。
【００１１】
また、本発明の別の構成は、上記した主たる構成に、有頂筒状の外筒壁の中央にリブ板壁を介して装着筒を一体設し、前記外筒壁および該外筒壁の上端に連設された頂壁さらに隔壁に、芳香剤の放散孔を開設してケース体を構成した、ことを加えたものである。
【００１２】
外筒壁の中央に装着筒を一体設してケース体を構成し、このケース体に放散孔を開設したものにあっては、ケース体により広い座面積を得ることができるので、芳香剤容器を安定した状態で置いておくことができ、また芳香剤の収納保持とは関りなくケース体に好ましい外観意匠を施すことができ、さらに芳香剤の適正な放散作用を維持させることができる。
【００１３】
また、本発明の別の構成は、上記した主たる構成において、収納容器体を、合成樹脂製ブロー成形ボトルとし、このボトルの開口筒部に、中央を開口部としたリング状のキャップ体を密に組付けし、このキャップ体上に開口部を塞ぐシート蓋を密に溶着した、ものである。
【００１４】
収納容器体を、合成樹脂製ブロー成形ボトルとし、開口筒部にリング状のキャップ体を組付けたものにあっては、収納容器体の成形が容易であると共に、安価に得ることができ、カートリッジ状の取扱いが容易である。
【発明の効果】
【００１５】
本発明は、上記した構成となっているので、以下に示す効果を奏する。
本発明の主たる構成にあっては、収納容器体をケース体の装着筒への挿入組付けにより破断孔を容易にかつ確実に開口し、これにより収納容器体内の芳香剤の拡散動作を確実に得ることができる。また、収納容器体の開口部は透過シートで塞がれた状態のままであり、透過シート自体は、液状、ゲル状、個体状、粉体状等の芳香剤の通過を許さないので、収納容器体による芳香剤の収納保持を安定して確保し、芳香剤容器の安全な使用状態を得ることができる。さらに、破断孔の開設によりゴミを発生させることがないので、後処理を簡潔にすることができる。
【００１６】
突子を、横長な板片状に構成したものにあっては、所望する大きさの破断孔を形成することが可能となるので、芳香剤の放散能力の程度を設定することが可能となる。また、突子は、先端面積が大きくないので、シート蓋を押込み変形させ易く、これにより破断孔の開設が無理なく達成できる。
【００１７】
外筒壁の中央に装着筒を一体設してケース体を構成し、このケース体に放散孔を開設したものにあっては、芳香剤容器を安定した状態で置いておくことができ、また好ましい外観意匠を施すことができ、さらに芳香剤の適正な放散作用を維持させることができるので、置物として設けられる芳香剤容器として、優れた使用状態を得ることができる。
【００１８】
収納容器体を、合成樹脂製ブロー成形ボトルとし、開口筒部にリング状のキャップ体を組付けたものにあっては、収納容器体の成形が容易であると共に、安価に得ることができ、カートリッジ状の取扱いが容易であるので、取扱い性の優れた収納容器体を簡単に得ることができる。
【図面の簡単な説明】
【００１９】
【図１】本発明の芳香剤容器の一実施例を示す、全体縦断正面図である。
【図２】図１に示した実施形態例の、平面図である。
【図３】図１の実施例の収納容器体を示す、一部拡大した断面図である。
【図４】図１の実施例の組付け状態を示す、縦断説明図である。
【図５】図２中、Ａ−Ａ線に沿って切断矢視した、要部拡大断面図である。
【図６】図２中、Ｂ−Ｂ線に沿って切断矢視した、要部拡大断面図である。
【発明を実施するための形態】
【００２０】
以下、本発明の実施例に沿って、図面を参照しながら説明する。
図１、図２は本発明の芳香剤容器の一実施例を示すものであり、図１は全体縦断正面図、図２はその平面図を示すものである。この芳香剤容器は、ＰＥＴ樹脂によりボトル状に２軸延伸ブロー成形された収納容器体１と、ポリプロピレン樹脂製の射出成形品ケース体９とを着脱可能に組合せて構成されている。
【００２１】
液状の芳香剤を収納する収納容器体１（特に、図３参照）は、ＰＥＴ樹脂によりボトル状に２軸延伸ブロー成形された本体部分の、有底円筒状となった胴部３の上端に内鍔状の肩部を介して連設された円筒状の開口筒部２に、二重リング筒片状に構成されたポリエチレン樹脂製のキャップ体４を嵌め込み固定し、このキャップ体４が形成している開口部を塞ぐように、キャップ体４の上面にシート蓋５を密に溶着固定して構成されている。
【００２２】
シート蓋５は、気化した芳香剤の透過および液状の芳香剤の浸漬が可能な柔軟性に富んだ透過シート６の下に、伸び変形不能で破断し易いバリヤー性に富んだシール膜７を積層（特に、図３の拡大部分参照）したもので、透過シート６としては、不織布等の布材シートや、連続発泡構造の発泡樹脂シートが利用でき、シール膜７としては、気体状または液体状を問わず芳香剤に対して高いバリヤー性を発揮するアルミ箔フィルムが適しており、シール膜７に破断孔８が開口された際に、透過シート６の伸び変形がシール膜７に邪魔されることがないように、透過シートとシール膜との間は、弱い接合力で積層されることが望ましい。
【００２３】
ケース体９（以下、特に図４参照）は、収納容器体１を挿入組付けする装着筒１０を有しており、この装着筒１０は、ケース体９の外殻を構成する楕円筒状（図２参照）の外筒壁１４の中央部に、楕円の長径および短径に沿って配置された四つのリブ板壁１６を介して一体に連設されており、このリブ板壁１６は、外筒壁１４に対する装着筒１０の結合の補強リブを兼ねると共に、装着筒１０に対する収納容器体１の挿入組付けをガイドする機能も発揮する。
【００２４】
装着筒１０には、この装着筒１０内を上下に区画する形態で隔壁１２が設けられており、収納筒容器体１が組付けられる側の隔壁１２面（図においては下側面）の中央には、外筒壁１４の長径に沿って横長となった板片状の突子１３（図２参照）が突設されていると共に、この隔壁１２の直下の内周面部分には、挿入組付けされた収納容体１をアンダーカット結合により固定保持する係止突条１１（図４参照）が設けられている。
【００２５】
また、隔壁１２には、この突子１３を避けて複数の透孔状の放散孔１７（図２、図４参照）が開設されている。この突子１３の突出端は、シート蓋５の透過シート６を突き破る等して破断しないように、丸みが付けられて（図５、図６参照）いて、先端面積が小さくなっているので、シート蓋５の押込み状に突き当たった際に、このシート蓋５を無理なく押込んで、シール膜７を破断する。
【００２６】
さらに、装着筒１０の隔壁１２で区画された上側の部分は、上方に拡径するテーパ筒状となっていて、隔壁１２の放散孔１７を通過して放散される気化した芳香剤が放散され易いようにしている。このテーパ筒状の装着筒１０部分には、開口面積の大きい放散窓１８が開設されており、放散孔１７と同様に気化した芳香剤を放散し易くしている。
【００２７】
外筒壁１４は、上端に頂壁１５を連設した有頂楕円筒状をしていて、リブ板壁１６は、この外筒壁１４および頂壁１５に起立状に設けられており、また装着筒１０のテーパ状筒部分の上端は、頂壁１５に連結されている。外筒壁１４および頂壁１５には、多数の放散孔１７（図２、図４参照）が開設されており、気化した芳香剤が周囲に偏り無く放散されるようにしていると共に、放散孔１７の形状を工夫することにより、芳香剤容器の外観体裁に優れた装飾性を与える。
【００２８】
次に、ケース体９と収納容器体１との組付け状態を説明する。
図４に示すように、ケース体９の装着筒１０内に収納容器体１をアンダーカット結合状に挿入組付けすると、その挿入組付け操作力により、突子１３がシート蓋５に押込み状に突き当たり、突子１３がシート蓋５の透過シート６を伸び変形させると共にシール膜７を破断して、このシール膜７部分に破断孔８（図５、図６参照）を開けて、収納容器体１内に対して透過シート６を露出させる。それゆえ、収納容器体１内の芳香剤は、気化して透過シート６を透過して放散される、または破断孔８から透過シート６に浸漬してその表面から放散する。
【００２９】
収納容器体１が装着筒１０に挿入限界位置まで挿入された状態（図１参照）では、シート蓋５と隔壁１２との間に隙間（図５、図６参照）が形成されるようにすると、破断孔８を通過して気化した芳香剤の放散孔１７への到達が、この隙間を通して円滑に達成されることになり、その分芳香剤の放散性が高められる。
【００３０】
図示実施例の場合、収納容器体１が装着筒１０内への挿入限界は、キャップ体４の外周面に段部を形成すると共に、装着筒１０の内周面に段部を形成し、両段部の突き当りにより設定しているが、これに限定されることはなく、収納容器体１とケース体９との間に適当な突き当たり手段を形成すればよい。
【００３１】
収納容器体１はケース体９に着脱自在に挿入組付けされるものであるので、収納容器体１をケース体９に簡単に着脱することができ、これにより収納容器体１をカートリッジ容器として取扱うことが可能であり、使用済みの収納容器体１を新しい収納容体１に安全にかつ速やかに交換することができる。
【００３２】
なお、図示実施例では、ケース体９に組付けた収納容器体１を正立姿勢にする使用形態を示しているが、透過シート６は、液状芳香剤の通過は許さないが浸漬は許すものであるので、収納容器体１を倒立姿勢にする使用形態とすることも可能である。
【００３３】
また、収納容器体１とケース体９の成形材料および成形方法は、実施例に示されたものに限定されることはなく、適当と思われる他の成形材料および成形方法を選択して利用することができる。さらに、収納容器体１に収納される芳香剤は、液状に限定されることはなく、ゲル状、固体状さらには粉体状等であってもよい。
【産業上の利用可能性】
【００３４】
以上説明したように、本発明の芳香剤容器は、芳香剤の適正な放散作用を維持した状態で、芳香剤を安全にかつ簡便に取扱うことができるものであり、特に取扱いに手間の掛かり易い液状芳香剤を取扱う用途での幅広い利用展開が期待される。
【符号の説明】
【００３５】
１  ；収納容器体
２  ；開口筒部
３  ；胴部
４  ；キャップ体
５  ；シート蓋
６  ；透過シート
７  ；シール膜
８  ；破断孔
９  ；ケース体
１０；装着筒
１１；係止突条
１２；隔壁
１３；突子
１４；外筒壁
１５；頂壁
１６；リブ板壁
１７；放散孔
１８；放散窓
【図１】
0005467465.tif 000002
【図２】
0005467465.tif 000003
【図３】
0005467465.tif 000004
【図４】
0005467465.tif 000005
【図５】
0005467465.tif 000006
【図６】
0005467465.tif 000007